(57)【要約】【課題】より良好に原稿の画像を読み取ることができる原稿読取装置を提供する。【解決手段】設定倍率が変更（拡大／縮小）されている場合に、その設定倍率で本スキャンを行う際と同じ読取速度でプレスキャンを行う。設定倍率が１００％よりも小さい場合には、プレスキャンが開始されると読取速度が徐々に加速し、原稿の先端の読み取りが開始された時点で、破線で示す等倍（倍率１００％）の場合の最高速度よりも高い所定速度に到達する。その速度で一定時間（原稿の先端部（たとえば、副走査方向に約５〜１０ｃｍ）を読み取ることができる程度）だけプレスキャンを行う。【効果】本スキャン時とプレスキャン時とで画像データの明度に誤差が生じるのを防止できる。【選択図】            図３
2004236000.tif 000002
【特許請求の範囲】
【請求項１】
原稿に対する主走査および副走査によって原稿の画像データを読み取り、メモリに記憶することができる原稿読取装置であって、
原稿全体の画像データを読み取って上記メモリに記憶させるための本スキャンの前に、原稿画像の特性を検出するためのプレスキャンを実行するプレスキャン実行手段と、
プレスキャン時の副走査方向の読取速度および読取範囲の少なくとも一方を変更可能なプレスキャン内容変更手段とを含むことを特徴とする原稿読取装置。
【請求項２】
本スキャン時の原稿に対する読取倍率を設定するための倍率設定手段と、
本スキャン時の副走査方向の読取速度を、上記倍率設定手段で設定された倍率に応じた所定速度に変更する手段とをさらに含み、
上記プレスキャン内容変更手段は、プレスキャン時の副走査方向の読取速度を上記所定速度に変更する手段を含むことを特徴とする請求項１記載の原稿読取装置。
【請求項３】
上記プレスキャン内容変更手段は、原稿の所定位置をプレスキャンするときだけ、副走査方向の読取速度を本スキャン時の読取速度と同じ速度に変更する手段を含むことを特徴とする請求項１または２記載の原稿読取装置。
【請求項４】
上記プレスキャン内容変更手段は、原稿の上記所定位置だけをプレスキャンするように読取範囲を変更する手段を含むことを特徴とする請求項３記載の原稿読取装置。
【請求項５】
上記プレスキャン内容変更手段は、原稿の先端から後端までをプレスキャンするように読取範囲を変更する手段を含むことを特徴とする請求項１〜３のいずれかに記載の原稿読取装置。
【発明の詳細な説明】
【０００１】
【発明の属する技術分野】
この発明は、デジタル複写機などの画像形成装置に適用され、原稿の画像を読み取るための原稿読取装置に関する。
【０００２】
【従来の技術】
通常、デジタル複写機などの画像形成装置には、原稿の画像を読み取るためのスキャナが備えられている。スキャナは、たとえば、コンタクトガラス上の原稿に向けて光を照射するための光源と、原稿からの反射光を検出して電気信号に変換するためのＣＣＤラインセンサと、原稿からの反射光を反射させてＣＣＤラインセンサへと導くための反射鏡と、反射鏡によりＣＣＤラインセンサへと導かれる反射光をＣＣＤラインセンサの検出面に結像させるためのレンズとを備えている。光源、反射鏡およびレンズは光学系を構成しており、画像形成動作が開始されると、ＣＣＤラインセンサによる電気的な走査によって原稿の主走査が行われるとともに、光学系と原稿との相対的な移動によって原稿の副走査が行われ、原稿の読み取りが達成されるようになっている。
【０００３】
画像形成時の原稿に対する倍率（拡大率／縮小率）を設定した場合には、たとえば、その設定された倍率に応じて光学系と原稿との相対的な移動速度が変更されることにより、原稿の副走査方向の読取速度が変更されるようになっている。
すなわち、設定倍率が１００％より大きいとき（拡大）は読取速度が遅くなり、設定倍率が１００％よりも小さいとき（縮小）は読取速度が速くなるようになっている。
【０００４】
この種の画像形成装置の中には、原稿の画像全体を一定速度で読み取る動作（本スキャン）の前にプレスキャンを行うようになっているものがある（たとえば、特許文献１および２参照）。この種の画像形成装置では、プレスキャンで読み取った画像データに基づいて、原稿のサイズや画像濃度などの原稿画像の特性を検出することができる。
図８は、従来の画像形成装置におけるプレスキャンの態様を説明するためのタイムチャートであって、時間と読取速度との関係を示している。
【０００５】
コンタクトガラス上への原稿のセットが完了すると、プレスキャンが開始され、待機位置にあった光学系が副走査方向に移動する。光学系は徐々に加速し、原稿の先端の読み取りが開始された時点で最高速度に到達する。そして、その最高速度で一定時間（原稿の先端部（たとえば、副走査方向に約５〜１０ｃｍ）を読み取ることができる程度）だけプレスキャンが行われた後、光学系は逆方向に移動されて待機位置に戻る。
【０００６】
その後、本スキャンが開始されると、待機位置にあった光学系が副走査方向に再び移動を開始する。光学系は徐々に加速し、原稿の先端の読み取りが開始された時点で上記最高速度に達する。そして、その最高速度で一定時間（原稿の先端から後端まで読み取ることができる程度）だけ本スキャンが行われた後、光学系は逆方向に移動されて待機位置に戻る。
【０００７】
【特許文献１】
特開２００１−２４８６２号公報
【特許文献２】
特開平６−２８４２８６号公報
【０００８】
【発明が解決しようとする課題】
しかしながら、上記のような従来の画像形成装置におけるプレスキャンは、光学系の移動速度（読取速度）が一定であるため、設定倍率を変更した場合には、本スキャン時とプレスキャン時とで読取速度が異なることとなる。本スキャン時とプレスキャン時とで読取速度が異なると、得られる画像データの明度に誤差が生じるため、画像データの濃度に誤差が生じたり、地肌判定の結果に誤差が生じて、画像データにおける原稿の地肌部分と画像部分との境界が不鮮明となる現象（地肌かぶり）が発生したりするおそれがある。
【０００９】
また、上記のような従来の画像形成装置におけるプレスキャンは、光学系の移動量が一定（原稿の先端部のみ）であるため、原稿の画像全体を認識することができない。したがって、本スキャン時に原稿の画像全体を読み取ったときに得られる画像データの容量をプレスキャンにより予め認識することができないので、画像メモリに記憶させる画像データの圧縮率を変更して一定の容量内に抑えるような場合に、その圧縮率が適当であるか否か（たとえば、画像メモリに記憶可能な容量であるか否か）を予め認識したり、原稿の画像全体の画質や画像内容（たとえば、文字のみ、写真のみ、文字と写真の混合といった画像の種類や、モノクロ、カラー、色混在などの画像の色）を予め認識したりして、圧縮率の設定や、画質の切り換え、カラーコピーの設定などを適当に行った後に本スキャンを行うことはできない。
【００１０】
以上のように、従来のプレスキャンで検出した原稿画像の特性に基づいて本スキャンを行っても、良好に原稿の画像を読み取ることができない場合があった。
この発明は、かかる背景のもとでなされたもので、より良好に原稿の画像を読み取ることができる原稿読取装置を提供することを目的とする。
【００１１】
【課題を解決するための手段および発明の効果】
上記目的を達成するための請求項１記載の発明は、原稿（Ｐ）に対する主走査および副走査によって原稿の画像データを読み取り、メモリ（３）に記憶することができる原稿読取装置（１）であって、原稿全体の画像データを読み取って上記メモリに記憶させるための本スキャンの前に、原稿画像の特性を検出するためのプレスキャンを実行するプレスキャン実行手段（８）と、プレスキャン時の副走査方向の読取速度および読取範囲の少なくとも一方を変更可能なプレスキャン内容変更手段（８）とを含むことを特徴とする原稿読取装置である。
【００１２】
なお、括弧内の英数字は、後述の実施形態における対応構成要素などを表す。
以下、この項において同じ。
この構成によれば、プレスキャン時の副走査方向の読取速度を変更する場合には、本スキャン時とプレスキャン時とで読取速度を同じにして、画像データの明度に誤差が生じるのを防止したり、プレスキャン時の読取速度を高速度にして、原稿の画像全体を短時間でプレスキャンしたりすることができる。したがって、より良好に原稿の画像を読み取ることができる。
【００１３】
また、プレスキャン時の副走査方向の読取範囲を変更する場合には、原稿の先端から後端までをプレスキャンして、本スキャン時に原稿の画像全体を読み取ったときに得られる画像データの容量を予め認識したり、原稿の所定位置（原稿画像の特性を検出するのに適当な位置（たとえば、中央部））の画像をプレスキャンして、原稿画像の特性を良好に検出したりすることができる。
原稿の先端から後端までプレスキャンするように読取範囲を変更すれば、原稿の画像全体の画質や画像内容（たとえば、文字のみ、写真のみ、文字と写真の混合といった画像の種類や、モノクロ、カラー、色混在などの画像の色）を予め認識することができる。したがって、圧縮率の設定や、画質の切り換え、カラーコピーの設定などを適当に行った後に本スキャンを行うことができるので、より良好に原稿の画像を読み取ることができる。
【００１４】
請求項２記載の発明は、本スキャン時の原稿に対する読取倍率を設定するための倍率設定手段（９）と、本スキャン時の副走査方向の読取速度を、上記倍率設定手段で設定された倍率に応じた所定速度に変更する手段（８）とをさらに含み、上記プレスキャン内容変更手段（８）は、プレスキャン時の副走査方向の読取速度を上記所定速度に変更する手段を含むことを特徴とする請求項１記載の原稿読取装置（１）である。
【００１５】
この構成によれば、設定倍率を変更した場合でも、本スキャン時とプレスキャン時とで読取速度を同じにすることができるので、画像データの明度に誤差が生じることがなく、より良好に原稿の画像を読み取ることができる。
請求項３記載の発明は、上記プレスキャン内容変更手段（８）は、原稿の所定位置（たとえば、先端部や中央部）をプレスキャンするときだけ、副走査方向の読取速度を本スキャン時の読取速度と同じ速度に変更する手段を含むことを特徴とする請求項１または２記載の原稿読取装置（１）である。
【００１６】
この構成によれば、原稿の所定位置（原稿画像の特性を検出するのに適当な位置）の画像だけを本スキャン時と同じ読取速度でプレスキャンし、原稿の他の位置の画像を本スキャン時よりも高速度でプレスキャンすることにより、上記所定位置の画像データの明度に誤差が生じるのを防止できる。したがって、原稿画像の特性を良好に短時間で検出することができる。
この場合、請求項４記載の発明のように、上記プレスキャン内容変更手段（８）は、原稿の上記所定位置だけをプレスキャンするように読取範囲を変更する手段を含むような構成であれば、読取速度が一定のときだけプレスキャンを行うことができるので、プレスキャンにより読み取られた画像データ全体の明度に誤差が生じるのを防止できる。
【００１７】
請求項５記載の発明は、上記プレスキャン内容変更手段（８）は、原稿の先端から後端までを（連続的に）プレスキャンするように読取範囲を変更する手段を含むことを特徴とする請求項１〜３のいずれかに記載の原稿読取装置である。
この構成によれば、原稿の画像全体の画質や画像内容（たとえば、文字のみ、写真のみ、文字と写真の混合といった画像の種類や、モノクロ、カラー、色混在などの画像の色）を予め認識することができる。したがって、圧縮率の設定や、画質の切り換え、カラーコピーの設定などを適当に行った後に本スキャンを行うことができるので、より良好に原稿の画像を読み取ることができる。
【００１８】
【発明の実施の形態】
以下には、図面を参照して、この発明の実施形態について具体的に説明する。図１は、この発明の一実施形態にかかる画像形成装置の構成を示すブロック図である。この画像形成装置は、たとえばデジタル複写機であって、スキャナ１で読み取った原稿の画像データに基づいて、用紙に対する画像形成を行うものである。
【００１９】
スキャナ１で読み取られた原稿の画像データは、たとえば、画像入力処理部２で所定の処理が施された後、画像メモリ３に記憶される。画像入力処理部２による処理には、たとえば、ＣＣＤラインセンサ１２（図２参照）の読取画素ごとの感度ばらつきを補正するためのシェーディング補正処理、画像データに原稿の濃度に比例する階調特性を持たせるための入力γ補正処理、画像データにおける原稿の地肌部分と画像部分との境界を判定するための地肌判定処理、画像データに対してエッジを強調させたり平滑化したりするためのフィルタ処理、スキャナ１におけるγ特性を補正するための露光γ補正処理などが含まれる。
【００２０】
画像メモリ３に記憶された画像データは、ＶＴＣ（Ｖｉｄｅｏ  Ｔｉｍｉｎｇ  Ｃｏｎｔｒｏｌｌｅｒ）４を介してレーザ走査ユニット（ＬＳＵ）５に送られ、このレーザ走査ユニット５から画像形成部６に向けて画像データに基づく光が照射される。ＶＴＣ４は、画像メモリ３に記憶されている画像データの各画素の出力レベルを調整（いわゆる、ＰＷＭ（ｐｕｌｓｅ  ｗｉｄｔｈ  ｍｏｄｕｌａｔｉｏｎ）制御など）するとともに、レーザ走査ユニット５から一定周期で発信されるＢＤ（Ｂｅａｍ  Ｄｅｔｅｃｔ）信号と、基準クロック作成回路（図示せず）から発振される基準クロックとに基づいて、各画素の画像データを所定のタイミングでレーザ走査ユニット５に送るためのものである。
【００２１】
画像形成部６の構成は、たとえば、感光体６１、メインチャージャ６２、現像装置６３および転写装置６４などを含む周知の構成である。すなわち、画像形成時には、略円筒状の感光体６１の表面がメインチャージャ６２によって一様に帯電され、この感光体６１の表面にレーザ走査ユニット５からの画像データに基づく光が照射されることにより、感光体６１の表面にいわゆる静電潜像が形成される。静電潜像が形成された感光体６１の表面には、現像装置６３によりトナーが選択的に付着され、トナー像が形成される。そして、感光体６１の表面に形成されたトナー像は、転写装置６４の働きによって用紙に転写される。トナー像転写後の用紙は、定着装置（図示せず）へと送られ、所定の定着処理を受けた後、機外に排出される。
【００２２】
自動原稿供給装置（ＤＦ）７は、原稿トレイ７１にセットされた１ないし複数枚の原稿を１枚ずつ自動的にスキャナ１側へと送り、その画像を読み取らせるためのものである。自動原稿供給装置７は、たとえば、その後端を中心に開閉可能となっていて、この自動原稿供給装置７を開けると、スキャナ１において原稿の画像を読み取らせる際の載置台としてのコンタクトガラス１５が現れるようになっている（図２参照）。この構成により、自動原稿供給装置７を開いてコンタクトガラス１５上に１枚ずつ原稿をセットして、その画像をスキャナ１で読み取らせることもできるし、原稿トレイ７１に１ないし複数枚の原稿をセットして、自動原稿供給装置７により原稿を１枚ずつスキャナ１へと供給し、その画像を読み取らせる（いわゆる流し読み）こともできるようになっている。
【００２３】
スキャナ１、画像入力処理部２、画像メモリ３、ＶＴＣ４、レーザ走査ユニット５、画像形成部６および自動原稿供給装置７は、専用のバスＢを介して、画像形成装置全体の動作を制御するためのＣＰＵ８に接続されており、各部１〜７の動作はＣＰＵ８により制御されるようになっている。また、ＣＰＵ８には、たとえば、画像形成装置の上面に配置され、画像形成装置の動作内容（たとえば、画像形成時の原稿に対する倍率など）を設定する際に操作したり、画像形成装置の動作状態などを表示したりするための操作表示装置９が接続されている。
【００２４】
図２は、スキャナ１および自動原稿供給装置７の内部構成を示す概略断面図である。
スキャナ１は、たとえば、原稿Ｐに向けて光を照射するための光源１１と、原稿Ｐからの反射光を検出して電気信号に変換するためのＣＣＤラインセンサ１２と、原稿Ｐからの反射光を反射させてＣＣＤラインセンサ１２の検出面１２１に導くための第１、第２および第３反射鏡１３１〜１３３と、第３反射鏡１３３に反射してＣＣＤラインセンサ１２へと導かれる光をＣＣＤラインセンサ１２の検出面１２１に結像させるためのレンズ１４とを備えている。光源１１、反射鏡１３１〜１３３およびレンズ１４は光学系１０を構成している。画像形成動作が開始されると、ＣＣＤラインセンサ１２による電気的な走査によって原稿Ｐの主走査が行われるとともに、光学系１０と原稿Ｐとの相対的な移動によって原稿Ｐの副走査が行われ、原稿Ｐの読み取りが達成されるようになっている。
【００２５】
図２に示すようにコンタクトガラス１５上に原稿Ｐをセットして原稿の読み取りを行う場合には、光源１１が原稿Ｐを照明しつつ副走査方向（左右方向）に移動する。光源１１の移動時には、第１反射鏡１３１が光源１１とともに移動し、第２反射鏡１３２および第３反射鏡１３３が光源１１と同じ方向に半分の速さで移動する。これにより、原稿ＰからＣＣＤラインセンサ１２に至る光路長が一定に保たれるようになっている。また、レンズ１４は、第３反射鏡１３３からレンズ１４までの距離と、レンズ１４からＣＣＤラインセンサ１２の検出面１２１までの距離とが一定の比率になるように移動する。このように、コンタクトガラス１５上に原稿Ｐをセットして原稿Ｐの読み取りを行う場合には、原稿Ｐに対して光学系１０が移動されることにより、原稿Ｐの副走査が達成される。
【００２６】
一方、原稿トレイ７１に原稿Ｐをセットして流し読みで原稿Ｐの読み取りを行う場合には、光学系１０が最左端の待機位置に停止した状態で、原稿トレイ７１にセットされた原稿Ｐが原稿搬送路７２を通って１枚ずつスキャナ１側に送り出される。光学系１０が待機位置に停止した状態では、流し読み用コンタクトガラス１６の下方に光源１１が位置していて、流し読み用コンタクトガラス１６上を通過する原稿Ｐが光源１１により連続的に照明されるようになっている。流し読み用コンタクトガラス１６上を通過した原稿Ｐは、原稿排出トレイ７３に排出される。このように、自動原稿供給装置７を用いて原稿Ｐの流し読みを行う場合には、光学系１０に対して原稿Ｐが移動されることにより、原稿Ｐの副走査が達成される。
【００２７】
操作表示装置９を操作して画像形成時の原稿Ｐに対する倍率（拡大率／縮小率）を設定した場合には、その設定された倍率に応じて光学系１０と原稿Ｐとの相対的な移動速度が変更されることにより、原稿Ｐの副走査方向の読取速度が変更されるようになっている。すなわち、設定倍率が１００％より大きいとき（拡大）は読取速度が遅くなり、設定倍率が１００％よりも小さいとき（縮小）は読取速度が速くなるようになっている。
【００２８】
この実施形態では、原稿Ｐの画像全体を一定速度で読み取る動作（本スキャン）の前にプレスキャンが行われるようになっている。プレスキャン時のスキャナ１（光学系１０）の動作は、ＣＰＵ８（プレスキャン実行手段）により制御される。このプレスキャンで読み取った画像データに基づいて、原稿Ｐのサイズや画像濃度などの原稿画像の特性を検出することができる。
図３〜図７は、プレスキャンの態様の具体例を説明するためのタイムチャートであって、時間と読取速度との関係を示している。なお、図３および図４では、通常のプレスキャンおよび本スキャンを行った場合の時間と読取速度との関係を破線で示している。
【００２９】
まず、図３を参照して、コンタクトガラス１５上に原稿を置いて自動原稿供給装置７を閉じることにより原稿のセットが完了すると、プレスキャンが開始され、待機位置にあった光学系１０が副走査方向に移動する。この例では、設定倍率が変更（拡大／縮小）されている場合に、その設定倍率で本スキャンを行う際の速度と同じ読取速度でプレスキャンが行われるようになっている。
設定倍率が１００％よりも小さい場合には、図３に示すように、プレスキャンが開始されると光学系１０が徐々に加速し、原稿の先端の読み取りが開始された時点で、破線で示す等倍（倍率１００％）の場合の最高速度よりも高い所定速度に到達する。そして、その速度で一定時間（原稿の先端部（たとえば、副走査方向に約５〜１０ｃｍ）を読み取ることができる程度）だけプレスキャンが行われた後、光学系１０は逆方向に移動されて待機位置に戻る。
【００３０】
その後、操作表示装置９に備えられたスタートキー（図示せず）の操作などに応答して本スキャンが開始されると、待機位置にあった光学系１０が副走査方向に再び移動を開始する。光学系１０は徐々に加速し、原稿の先端の読み取りが開始された時点でプレスキャン時と同じ速度に到達する。そして、その速度で一定時間（原稿の先端から後端まで読み取ることができる程度）だけ本スキャンが行われた後、光学系１０は逆方向に移動されて待機位置に戻る。
【００３１】
一方、設定倍率が１００％よりも大きい場合には、破線で示す等倍（倍率１００％）の場合の最高速度よりも低速度でプレスキャンおよび本スキャンが行われる。
通常、本スキャン時とプレスキャン時とで読取速度が異なると、得られる画像データの明度に誤差が生じるため、画像データの濃度に誤差が生じたり、地肌判定の結果に誤差が生じて、画像データにおける原稿の地肌部分と画像部分との境界が不鮮明となる現象（地肌かぶり）が発生したりするおそれがある。
【００３２】
この例では、設定倍率を変更した場合でも、本スキャン時とプレスキャン時とで読取速度を同じにすることができるので、画像データの明度に誤差が生じるのを防止でき、より良好に原稿の画像を読み取ることができる。
ただし、プレスキャン時の読取速度を本スキャン時と同じ速度にするような構成に限らず、たとえば、プレスキャン時の読取速度を任意に変更できるような構成であってもよい。プレスキャン時の読取速度を高速度にすれば、原稿の画像全体を短時間でプレスキャンすることができる。
【００３３】
図４に示す例では、たとえば操作表示装置９の操作により、プレスキャン時の光学系１０の移動量（読取範囲）を変更できるようになっている。すなわち、図４に示すように、プレスキャンが開始されると光学系１０が徐々に加速し、原稿の先端の読み取りが開始された時点で、通常のプレスキャン時の最高速度と同じ速度に到達する。そして、その速度で通常よりも長い一定時間（たとえば、原稿の先端から後端まで読み取ることができる程度）だけプレスキャンが行われた後、光学系１０は逆方向に移動されて待機位置に戻る。
【００３４】
その後、操作表示装置９に備えられたスタートキー（図示せず）の操作などに応答して本スキャンが開始されると、待機位置にあった光学系１０が副走査方向に再び移動を開始する。光学系１０は徐々に加速し、原稿の先端の読み取りが開始された時点でプレスキャン時と同じ速度に到達する。そして、その速度で一定時間（原稿の先端から後端まで読み取ることができる程度）だけ本スキャンが行われた後、光学系１０は逆方向に移動されて待機位置に戻る。
【００３５】
通常、原稿の先端部だけをプレスキャンするような構成の場合、原稿の画像全体を認識することができないので、本スキャン時に原稿の画像全体を読み取ったときに得られる画像データの容量をプレスキャンにより予め認識することができない。したがって、たとえば操作表示装置９を操作するなどして、画像メモリ３に記憶させる画像データの圧縮率を変更して一定の容量内に抑えるような場合に、その圧縮率が適当であるか否か（たとえば、画像メモリ３に記憶可能な容量であるか否か）は本スキャン終了後でなければ分からない。
【００３６】
この例では、原稿の先端から後端までをプレスキャンすることにより、本スキャン時に原稿の画像全体を読み取ったときに得られる画像データの容量を予め認識することができる。また、原稿の先端から後端までプレスキャンすることにより、原稿の画像全体の画質や画像内容（たとえば、文字のみ、写真のみ、文字と写真の混合といった画像の種類や、モノクロ、カラー、色混在などの画像の色）を予め認識することができる。したがって、圧縮率の設定や、画質の切り換え、カラーコピーの設定などを適当に行った後に本スキャンを行うことができるので、より良好に原稿の画像を読み取ることができる。
【００３７】
ただし、上記のように原稿の先端から後端までプレスキャンするような構成に限らず、たとえば、原稿の所定位置（原稿画像の特性を検出するのに適当な位置（たとえば、中央部））をプレスキャンするような構成であってもよいし、設定倍率に応じて異なる範囲でプレスキャンを行うような構成（たとえば、設定倍率が１００％よりも大きいときには読取範囲が小さく、設定倍率が１００％よりも小さいときには読取範囲が大きくなるような構成）であってもよい。また、プレスキャン時の読取範囲を任意に設定できるような構成であってもよい。
【００３８】
図５〜図７に示す例では、操作表示装置９の操作により、プレスキャン時の光学系１０の移動量（読取範囲）および読取速度を変更できるようになっている。
まず、図５に示す例では、プレスキャンが開始されると光学系１０が徐々に加速し、原稿の先端の読み取りが開始された時点で、本スキャン時の読取速度と同じ速度（基準速度）に到達する。そして、その速度で一定時間（原稿の先端部（たとえば、副走査方向に約５〜１０ｃｍ）を読み取ることができる程度）だけプレスキャンが行われた後、プレスキャンを継続しつつ光学系１０がさらに加速される。光学系１０の移動速度が基準速度よりも高い所定速度に到達すると、その速度で一定時間（原稿の後端まで読み取ることができる程度）だけプレスキャンが行われた後、光学系１０は逆方向に移動されて待機位置に戻る。
【００３９】
図６に示す例では、プレスキャンが開始されると光学系１０が徐々に加速し、基準速度よりも高い所定速度に到達する。そして、プレスキャンを継続しつつ所定時間経過後に光学系１０が徐々に減速されることにより、原稿の中央部の読み取りが開始された時点で、基準速度に到達する。その後、基準速度で一定時間（原稿の中央部（たとえば、副走査方向に約５〜１０ｃｍ）を読み取ることができる程度）だけプレスキャンが行われた後、光学系１０は逆方向に移動されて待機位置に戻る。
【００４０】
図７に示す例では、プレスキャンが開始されると光学系１０が徐々に加速し、基準速度よりも高い所定速度に到達する。そして、プレスキャンを継続しつつ所定時間経過後に光学系１０が徐々に減速されることにより、原稿の中央部の読み取りが開始された時点で、基準速度に到達する。その後、基準速度で一定時間（原稿の中央部（たとえば、副走査方向に約５〜１０ｃｍ）を読み取ることができる程度）だけプレスキャンが行われた後、プレスキャンを継続しつつ光学系１０が再び加速される。光学系１０の移動速度が基準速度よりも高い上記所定速度に到達すると、その速度で一定時間（原稿の後端まで読み取ることができる程度）だけプレスキャンが行われた後、光学系１０は逆方向に移動されて待機位置に戻る。
【００４１】
図５〜図７において、プレスキャン後に行われる本スキャン時の時間と読取速度との関係は、図４において説明した態様と同じ態様である。
図５〜図７のような例では、原稿の所定位置（先端部や中央部）の画像だけを本スキャン時と同じ読取速度でプレスキャンし、原稿の他の位置の画像を本スキャン時よりも高速度でプレスキャンすることにより、上記所定位置の画像データの明度に誤差が生じるのを防止できる。したがって、原稿画像の特性を良好に短時間で検出することができる。
【００４２】
ただし、図５〜図７の例では、プレスキャン中に読取速度が変化する場合でも、継続して（連続的に）プレスキャンを行うような構成について説明したが、このような構成に限らず、光学系１０が一定速度（たとえば、基準速度）で移動されるときだけプレスキャンを行うような構成であってもよい。この構成によれば、読取速度が一定のときだけプレスキャンを行うことができるので、プレスキャンにより読み取られた画像データ全体の明度に誤差が生じるのを防止できる。
【００４３】
この発明は、以上の実施形態の内容に限定されるものではなく、請求項記載の範囲内において種々の変更が可能である。
たとえば、プレスキャンは１回に限らず、２回以上を行うような構成であってもよい。この場合、コピー禁止コードが設定されている原稿（たとえば、紙幣など）がコンタクトガラス１５上にセットされた場合に、１回目のプレスキャンでそのコピー禁止コードの位置を検出し、２回目のプレスキャンでコピー禁止コードであるか否かの判定を行うようになっていてもよい。コンタクトガラス１５上にセットされている原稿が紙幣などであると判定された場合には、その後の本スキャンを実行できないようになっていてもよい。
【００４４】
プレスキャン時の副走査方向の読取速度および読取範囲は、たとえば、操作表示装置９の操作により設定した動作モードの設定内容に応じて変更されるようになっていてもよい。
この発明は、自動原稿供給装置７を備えていない構成の画像形成装置にも適用可能である。
また、この発明の一実施形態としてデジタル複写機について説明したが、この発明は、デジタル複写機に限らず、たとえばスキャナ装置などにも適用可能である。
【図面の簡単な説明】
【図１】この発明の一実施形態にかかる画像形成装置の構成を示すブロック図である。
【図２】スキャナおよび自動原稿供給装置の内部構成を示す概略断面図である。
【図３】プレスキャンの態様の具体例を説明するためのタイムチャートである。
【図４】プレスキャンの態様の具体例を説明するためのタイムチャートである。
【図５】プレスキャンの態様の具体例を説明するためのタイムチャートである。
【図６】プレスキャンの態様の具体例を説明するためのタイムチャートである。
【図７】プレスキャンの態様の具体例を説明するためのタイムチャートである。
【図８】従来の画像形成装置におけるプレスキャンの態様を説明するためのタイムチャートである。
【符号の説明】
１    スキャナ
３    画像メモリ
８    ＣＰＵ
９    操作表示装置
Ｐ    原稿
【図１】
2004236000.tif 000003
【図２】
2004236000.tif 000004
【図３】
2004236000.tif 000005
【図４】
2004236000.tif 000006
【図５】
2004236000.tif 000007
【図６】
2004236000.tif 000008
【図７】
2004236000.tif 000009
【図８】
2004236000.tif 000010